(57)【要約】      （修正有）【課題】複数種類の生体を効率的に管理できるようにする養殖システムの表示制御プログラムと情報処理装置の提供。【解決手段】管理領域における環境状態を測定するセンサにより測定される測定項目に対する下限管理指標値を入力する下限値入力領域２０２３と、測定項目に対する上限管理指標値を入力する上限値入力領域２０２４とを備える入力画面２０１ａ−３を表示装置に表示させ、下限値入力領域２０２３に下限管理指標値が入力された場合、または、上限値入力領域２０２４に上限管理指標値が入力された場合に、下限管理指標値または上限管理指標値の入力が行なわれたことを示す入力済みマーク２０２７を下限値入力領域２０２３または上限値入力領域２０２４の外側に表示させる。【選択図】図５
2020178656.tif 000002
【特許請求の範囲】
【請求項１】
管理領域における複数種類の生体を飼養する養殖システムに備えられる情報処理装置のプロセッサに、
前記管理領域における環境状態を測定するセンサにより測定される測定項目に対する下限管理指標値を入力する下限値入力領域と、前記測定項目に対する上限管理指標値を入力する上限値入力領域とを備える入力画面を表示装置に表示させ、
前記下限値入力領域に前記下限管理指標値が入力された場合、または、前記上限値入力領域に前記上限管理指標値が入力された場合に、前記下限管理指標値または前記上限管理指標値の入力が行なわれたことを示す入力済みマークを前記下限値入力領域または上限値入力領域の外側に表示させる
処理を実行させる、表示制御プログラム。
【請求項２】
前記入力領域において、前記下限値入力領域と前記上限値入力領域とを並べて表示させる
処理を、前記プロセッサに実行させる、請求項１記載の表示制御プログラム。
【請求項３】
前記下限値入力領域と前記上限値入力領域とを並べて配置し、
前記下限値入力領域に前記下限管理指標値が入力された場合は前記下限値入力領域の値よりも、より低い値を示す位置のマークを変更し、または、前記上限値入力領域に前記上限管理指標値が入力された場合は前記上限値入力領域の値よりも、より高い値を示す位置のマークを変更する
処理を、前記プロセッサに実行させる、請求項２記載の表示制御プログラム。
【請求項４】
前記下限値入力領域および前記上限値入力領域の少なくとも一部の表示態様を変更することで前記入力済みマークを前記表示装置に表示させる
処理を、前記プロセッサに実行させる、請求項３記載の表示制御プログラム。
【請求項５】
前記複数種類の生体のそれぞれに対応させて、前記生体の種類毎に前記入力画面を表示させる
処理を、前記プロセッサに実行させる、請求項１〜４のいずれか１項に記載の表示制御プログラム。
【請求項６】
前記センサにより測定された測定項目において、前記下限管理指標値または前記上限管理指標値に基づき異常が検出された場合に、
前記管理領域における前記生体の状態を前記生体の種類毎に表示する生体情報において、前記異常が検出された生体の種類に対応させて異常通知情報を表示させる
処理を、前記プロセッサに実行させる、請求項１〜５のいずれか１項に記載の表示制御プログラム。
【請求項７】
管理領域における複数種類の生体を飼養する養殖システムであって、
前記管理領域における環境状態を測定するセンサと、
前記センサによる測定値に対する管理指標値を入力する情報処理装置とを備え、
前記情報処理装置が、
前記センサにより測定される測定項目に対する下限管理指標値を入力する下限値入力領域と、前記測定項目に対する上限管理指標値を入力する上限値入力領域とを備える入力画面を表示装置に表示させ、
前記下限値入力領域に前記下限管理指標値が入力された場合、または、前記上限値入力領域に前記上限管理指標値が入力された場合に、前記下限管理指標値または前記上限管理指標値の入力が行なわれたことを示す入力済みマークを前記下限値入力領域または上限値入力領域の外側に表示させる表示制御部
を備える、養殖システム。
【請求項８】
管理領域における複数種類の生体を飼養する養殖システムにおいて備えられる情報処理装置であって、
表示装置と、
前記管理領域における環境状態を測定するセンサにより測定される測定項目に対する下限管理指標値を入力する下限値入力領域と、前記測定項目に対する上限管理指標値を入力する上限値入力領域とを備える入力画面を前記表示装置に表示させ、
前記下限値入力領域に前記下限管理指標値が入力された場合、または、前記上限値入力領域に前記上限管理指標値が入力された場合に、前記下限管理指標値または前記上限管理指標値の入力が行なわれたことを示す入力済みマークを前記下限値入力領域または上限値入力領域の外側に表示させる表示制御部と
を備えることを特徴とする、情報処理装置。
【発明の詳細な説明】
【技術分野】
【０００１】
本発明は、表示制御プログラム、養殖システムおよび情報処理装置に関する。
【背景技術】
【０００２】
魚やウニ，ナマコ等の水生生物を養殖する養殖システムにおいては、水生生物に好適な水質等を維持するために、生簀や水槽の水温や塩分濃度等をセンサによって測定することが行なわれている。
【０００３】
そして、センサによる測定値が予め設定された閾値を超えたことが検出された場合に、アラートを出力して管理者に対する通知を行なう。
【先行技術文献】
【特許文献】
【０００４】
【特許文献１】特開２０１８−３３４１８号公報
【発明の概要】
【発明が解決しようとする課題】
【０００５】
従来の養殖システムにおいては、一つの生簀に複数種類の水生生物を入れて養殖することは行なわれていない。
【０００６】
日本の養殖、特に陸上養殖は発展途上であり、今後、例えば養殖魚種の選定が行なわれてない場合に、複数の魚種を比較して育てるために一つの水槽に複数種類の水生生物を入れて養殖することが考えられる。
【０００７】
このように複数種類の水生生物を一つの水槽に入れて養殖を行なう場合に、これらの複数種類の水生生物について水質等の管理を効率的に行なうことが求められる。
【０００８】
１つの側面では、本発明は、複数種類の生体を効率的に管理できるようにすることを目的とする。
【課題を解決するための手段】
【０００９】
このため、この表示制御プログラムは、管理領域における複数種類の生体を飼養する養殖システムに備えられる情報処理装置のプロセッサに、前記管理領域における環境状態を測定するセンサにより測定される測定項目に対する下限管理指標値を入力する下限値入力領域と、前記測定項目に対する上限管理指標値を入力する上限値入力領域とを備える入力画面を表示装置に表示させ、前記下限値入力領域に前記下限管理指標値が入力された場合、または、前記上限値入力領域に前記上限管理指標値が入力された場合に、前記下限管理指標値または前記上限管理指標値の入力が行なわれたことを示す入力済みマークを前記下限値入力領域または上限値入力領域の外側に表示させる。
【発明の効果】
【００１０】
一実施形態によれば、複数種類の生体を効率的に管理できる。
【図面の簡単な説明】
【００１１】
【図１】実施形態の一例としての養殖システムの構成を模式的に示す図である。
【図２】実施形態の一例としての養殖システムの管理者端末の機能構成を例示する図である。
【図３】実施形態の一例としての養殖システムの管理者端末の表示装置に表示される入力画面を例示する図である。
【図４】実施形態の一例としての養殖システムの管理者端末の表示装置に表示される入力画面を例示する図である。
【図５】実施形態の一例としての養殖システムの管理者端末の表示装置に表示される入力画面を例示する図である。
【図６】実施形態の一例としての養殖システムの管理者端末の表示装置に表示される入力画面を例示する図である。
【図７】実施形態の一例としての養殖システムの管理者端末の表示装置に表示される入力画面を例示する図である。
【図８】実施形態の一例としての養殖システムの管理者端末の表示装置に表示される入力画面を例示する図である。
【図９】実施形態の一例としての養殖システムの管理者端末の表示装置に表示される入力画面を例示する図である。
【図１０】実施形態の一例としての養殖システムの管理者端末の表示装置に表示される入力画面を例示する図である。
【図１１】施形態の一例としての養殖システムにおけるセンサデータ群を例示する図である。
【図１２】実施形態の一例としての養殖システムにおける閾値データベースを例示する図である。
【図１３】実施形態の一例としての養殖システムにおけるモニタリング画面を例示する図である。
【図１４】実施形態の一例としての養殖システムにおけるモニタリング画面を例示する図である。
【図１５】実施形態の一例としての養殖システムにおけるモニタリング画面を例示する図である。
【図１６】実施形態の一例としての養殖システムにおける養殖管理装置の処理を説明するためのフローチャートである。
【図１７】実施形態の一例としての養殖システムの養殖管理装置のハードウェア構成を例示する図である。
【図１８】実施形態の一例としての養殖システムの管理者端末のハードウェア構成を例示する図である。
【図１９】実施形態の一例としての養殖システムの管理者端末のハードウェア構成を例示する図である。
【発明を実施するための形態】
【００１２】
以下、図面を参照して本表示制御プログラム、養殖システムおよび情報処理装置に係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。また、各図は、図中に示す構成要素のみを備えるという趣旨ではなく、他の機能等を含むことができる。
【００１３】
（Ａ）構成
図１は実施形態の一例としての養殖システム１の構成を模式的に示す図である。
【００１４】
本養殖システム１は、図１に示すように、養殖管理装置１０，管理者端末２０ａ，２０ｂおよび水槽３０を備える。
【００１５】
［水槽３０］
水槽３０には海水または淡水の飼育用水が満たされ、この水中において複数種類の水生生物（生体）が飼養（養殖，飼育）される。水槽３０は管理領域に相当し、この水槽３０内においては水質が同一であるとみなされる。すなわち、管理領域は、同じ水質として管理する単位に相当する。後述する養殖管理装置１０は、同じ水質管理対象となる領域を管理対象とすることが望ましい。なお、水槽３０は１以上設置されており、水槽３０毎に飼養する水生生物が登録されるものとする。
【００１６】
水生生物は、例えば、鯉、金魚、熱帯魚、鮎等の淡水魚、ハマチ、鯛等の海水魚や、牡蠣等の貝類、ナマコ、ウニ等、など、食用、観賞用、その他の目的で飼養する飼養対象である。
【００１７】
本実施形態においては、水槽３０に、例えば、複数のケージが沈められ、これらのケージに、飼養対象の生体であるマナマコやエゾバフンウニが生体種毎にケージを分けて入れられている。
【００１８】
水槽３０には複数種類（図１に示す例では６つを図示）のセンサ３１−１〜３１−６が設置されている。
【００１９】
例えば、センサ３１−１は水槽３０中の飼育用水の水温を測定する温度センサであり、センサ３１−２は飼育用水の塩分濃度を測定する塩分濃度センサであり、センサ３１−３は飼育用水のｐｈを測定するｐｈセンサである。また、センサ３１−４は飼育用水のアンモニウムイオンを、センサ３１−５は飼育用水の亜硝酸イオンを、センサ３１−６は飼育用水の硝酸イオンを、それぞれ測定するイオンセンサである。
【００２０】
以下、これらのセンサ３１−１〜３１−６を特に区別しない場合には、センサ３１と表記する。センサ３１は、これらの温度センサや塩分濃度センサ、ｐｈセンサ、イオンセンサに限定されるものではなく、種々変形して実施することができる。また、以下、センサ３１−１〜３１−６をセンサ＃１〜＃６とそれぞれ表す場合がある。センサ３１は、水槽３０における環境状態を測定する。
【００２１】
センサ３１は、本養殖システム１において水質の管理に用いられる水質管理項目毎に備えられる。水質管理項目は、例えば、水温，塩分濃度，ｐｈ，アンモニウムイオン，亜硝酸イオン，硝酸イオン，濁度である。これらの水質管理項目の情報は、水槽３０の水質を表す水質情報（飼育環境情報）に相当する。これらの水質情報を測定種別といってもよい。
【００２２】
本実施形態においては、水質管理項目毎にセンサ３１が備えられ、一のセンサ３１が一の水質管理項目の測定に用いられるが、これに限定されるものではない。すなわち、一のセンサ３１を複数種類の水質管理項目の測定に用いてもよい。
【００２３】
センサ３１は自律的に測定を行なってもよく、また、養殖管理装置１０からの測定指示に従って計測を行なってもよい。センサ３１は測定の結果得られたセンサデータ（測定値）を養殖管理装置１０に送信する。
【００２４】
管理者端末２０ａ，２０ｂは、本養殖システム１の管理者が使用する情報処理装置である。例えば、管理者端末２０ａはスマートフォンである。管理者端末２０ｂは、スマートフォンよりも大きなサイズの表示装置を備える情報処理装置であり、例えば、ノートＰＣ（Personal Computer）やデスクトップＰＣ，タブレットＰＣである。
【００２５】
管理者は、管理者端末２０ａのタッチディスプレイ５１４（図１８参照）や，管理者端末２０ｂのモニタ６１４ａ（図１９参照）に表示される入力画面（ユーザインタフェース）を介して、各種の入力操作を行なう。なお、管理者端末２０ａのタッチディスプレイ５１４や管理者端末２０ｂのモニタ６１４ａを表示装置という場合がある。
【００２６】
図２は実施形態の一例としての養殖システム１の管理者端末２０ａ，２０ｂの機能構成を例示する図である。
【００２７】
以下、管理者端末２０ａ，２０ｂを特に区別しない場合には、管理者端末２０と表記する。
【００２８】
管理者端末２０は、表示制御部２１および入力制御部２２としての機能を備える。
【００２９】
表示制御部２１は、管理者端末２０ａのタッチディスプレイ５１４（図１８参照）や管理者端末２０ｂのモニタ６１４ａ（図１９参照）に種々の情報を表示させる制御を行なう。例えば、表示制御部２１は、後述する入力画面２０１ａ−１〜２０１ａ−４をタッチディスプレイ５１４やモニタ６１４ａに表示させる。
【００３０】
入力制御部２２は、入力画面２０１ａ−１〜２０１ａ−４において入力された情報を処理する。例えば、入力制御部２２は、管理者端末２０ａのタッチディスプレイ５１４から入力された情報をメモリ５１２に記憶させる他、プロセッサ５１１に処理させる。また、入力制御部２２は、入力された情報をネットワークインタフェース５１８（図１８参照）を介して養殖管理装置１０に送信してもよい。
【００３１】
また、入力制御部２２は、管理者端末２０ｂのキーボード１５ａやマウス１５ｂにより入力された情報をメモリ６１２に記憶させる他、プロセッサ６１１に処理させる。また、入力制御部２２は、入力された情報をネットワークインタフェース６１８（図１９参照）を介して養殖管理装置１０に送信してもよい。
【００３２】
［管理者端末２０ａ］
図３〜図６は実施形態の一例としての養殖システム１の管理者端末２０ａのタッチディスプレイ５１４（図１８参照）に表示される入力画面２０１ａ−１〜２０１ａ−４を例示する図である。
【００３３】
管理者は、生体の飼養に要求される飼養条件を示す管理指標値を、管理者端末２０ａに表示される入力画面２０１ａ−１〜２０１ａ−４を介して入力（設定）する。本養殖システム１においては、生体の種類（生体種）毎に飼養条件を表す管理指標値を予め設定することができる。管理指標値は、後述する養殖管理装置１０のセンサデータ評価部１０２により閾値として用いられる。
【００３４】
例えば、管理者端末２０ａに備えられたプロセッサ５１１（図１８参照）がクライアント用養殖管理プログラムを実行することで、表示制御部２１および入力制御部２２としての機能が実現され、入力画面２０１ａ−１〜２０１ａ−４が管理者端末２０ａのタッチディスプレイ５１４に表示される。
【００３５】
なお、後述する養殖管理装置１０が入力画面２０１ａ−１〜２０１ａ−４を提供し、インターネット等のネットワークを介して当該養殖管理装置１０に接続された管理者端末２０ａにおいて、表示制御部２１がブラウザを介してこれらの入力画面２０１ａ−１〜２０１ａ−４を表示装置に表示させてもよい。
【００３６】
図３に例示する入力画面２０１ａ−１は、養殖管理に関して管理者が行なう作業の選択画面を示す。
【００３７】
この図３に例示する入力画面２０１ａ−１においては、作業入力の選択肢として、給餌，池入れ，出荷，注水・排水，水槽メンテ，水質モニタ，取出し，斃死回収，生体種登録およびメール通知の各アイコンを備える。
【００３８】
管理者はこの入力画面２０１ａ−１において、行なおうとする作業入力に対応するアイコンを選択する。本実施形態においては、生体種登録を行なう例について示す。生体登録は、本養殖システム１において飼養する生体種を新たに登録（新規生体登録）する機能と、既に登録済みの生体種に対する管理指標値の設定・変更（管理指標値設定）を行なう機能とを含む。以下、生体種登録には、新規生体種登録と、登録済みの生体種に対する管理指標値設定とを含めるものとする。なお、水槽３０は１以上設置されており、水槽３０毎に飼養する水生生物が登録されることを含む。
【００３９】
管理者が入力画面２０１ａ−１において生体種登録のアイコン２０１１を選択すると、図４に例示する入力画面２０１ａ−２が管理者端末２０ａのタッチディスプレイ５１４に表示される。
【００４０】
図４に例示する入力画面２０１ａ−２は、生体種登録の対象を選択する選択画面を示す。
【００４１】
図４に例示する入力画面２０１ａ−２には、登録済みの生体種として、マナマコおよびエゾバフンウニが示されている。管理者は、この入力画面２０１ａ−２において、登録済みの生体種（図４に示す例ではマナマコまたはエゾバフンウニ）を選択することで、図５に例示する生体種登録用の入力画面２０１ａ−３が管理者端末２０ａのタッチディスプレイ５１４に表示される。
【００４２】
図５に例示する生体種登録用の入力画面２０１ａ−３は、生体種名欄２０２１と複数（図５に示す例では６つ）の管理指標値設定欄２０２２−１〜２０２２−６とを備える。
【００４３】
生体種名欄２０２１には、生体種名が入力される。図５に示す例においては、生体種名欄２０２１にマナマコが入力されている。
【００４４】
管理指標値設定欄２０２２−１〜２０２２−６には、生体種名欄２０２１に示される生体種についての飼養条件を示す管理指標値がそれぞれ設定される。複数種類（図５に示す例では６種類）の水質管理項目（飼養管理項目，飼育環境情報）に応じて、複数（図５に示す例では６つ）の管理指標値設定欄２０２２−１〜２０２２−６が備えられる。以下、６つの管理指標値設定欄２０２２−１〜２０２２−６を特に区別しない場合には、管理指標値設定欄２０２２と表記する。
【００４５】
管理指標値設定欄２０２２は、生体の飼養を行なうに際して、水質を管理するための水質管理項目毎に備えられる。水質管理項目は、生体の飼養を行なうための飼養条件の種類に相当する。
【００４６】
図５に示す例においては、水温，塩分濃度，ｐｈ，アンモニウムイオン，亜硝酸イオンおよび硝酸イオンが水質管理項目であり、これらの水質管理項目のそれぞれに対して、管理指標値設定欄２０２２が設けられている。
【００４７】
管理指標値設定欄２０２２は、背景領域２０２８，下限値欄２０２３および上限値欄２０２４を備える。図５に例示する背景領域２０２８は、左右方向に長い矩形形状を有し、この背景領域２０２８上に、下限値欄２０２３と上限値欄２０２４とが左右方向に並んで配置されている。背景領域２０２８は、管理者端末２０ａのタッチディスプレイ５１４の幅（左右方向長）とほぼ同じ左右方向長を有してもよい。
【００４８】
下限値欄２０２３および上限値欄２０２４には、それぞれ管理者によって管理指標値が入力される。管理指標値は、生体の飼養に求められる水質情報の値（飼養条件）を表し、管理指標値が範囲として表される場合に、管理者は、その下限値を下限値欄２０２３に、上限値を上限値欄２０２４に、それぞれ入力する。なお、水槽３０が複数設置されている場合には、システムは、同じ生体であっても、管理する生体群の単位毎に異なる管理指標値の登録を許容する。具体的には、システムは、異なる水槽にて同種の生体が飼養される場合に、それぞれの水槽単位で異なる管理指標値を登録することを可能とする。例えば高品質とそれ以外の品質とで飼養に係る費用を調整する場合に利用される。
【００４９】
これらの下限値および上限値は、後述する養殖管理装置１０のセンサデータ評価部１０２により閾値として用いられる。下限値欄２０２３に入力された下限値を下限閾値という場合がある。また、上限値欄２０２４に入力された上限値を上限閾値という場合がある。
【００５０】
例えば、マナマコの飼養には飼育用水の水温が4℃〜20℃の範囲内であることが要求される。すなわち、マナマコの飼養においては4℃〜20℃が水温の許容範囲である。また、マナマコの飼養においては、飼育用水のｐＨが7pH〜9pHであることが要求される。すなわち、マナマコの飼養においては7pH〜9pHがｐＨの許容範囲である。さらに、マナマコの飼養においては、飼育用水の塩分濃度が20%〜38%であることが要求される。すなわち、マナマコの飼養においては20%〜38%が塩分濃度の許容範囲である。
【００５１】
マナマコの飼養においては、飼育用水のアンモニウムイオンおよび亜硝酸イオンがそれぞれ1mg以下であることが要求される。すなわち、マナマコの飼養においては1mg以下であることがアンモニウムイオンおよび亜硝酸イオンの許容範囲である。また、マナマコの飼養においては、飼育用水の硝酸イオンが100mg以下であることが要求される。すなわち、マナマコの飼養においては100mg以下であることが硝酸イオンの許容範囲である。
【００５２】
管理者は、これらの各水質管理項目の許容範囲の上限値および下限値を、入力画面２０１ａ−３の各管理指標値設定欄２０２２の下限値欄２０２３および上限値欄２０２４にそれぞれ設定する。
【００５３】
下限値（下限閾値）は、水槽３０における環境状態を測定するセンサ３１により測定される測定項目（水質管理項目：水温，塩分濃度，ｐｈ，アンモニウムイオン，亜硝酸イオンおよび硝酸イオン）に対する下限管理指標値に相当する。
【００５４】
また、上限値（上限閾値）は、水槽３０における環境状態を測定するセンサ３１により測定される測定項目に対する上限管理指標値に相当する。
【００５５】
例えば、許容範囲が4℃〜20℃である水温について、管理者は、管理指標値設定欄２０２２−１に対して、下限値欄２０２３に“4”を設定するとともに、上限値欄２０２４に“20”を設定する。
【００５６】
同様に、管理者は、各水質項目について、対応する管理指標値設定欄２０２２−２〜２０２２−６に対して、それぞれ下限値欄２０２３および上限値欄２０２４に許容範囲を示す限界値（上限値，下限値）を設定する。なお、下限値欄２０２３または上限値欄２０２４の一方のみに値を設定してもよい。
【００５７】
背景領域２０２８は、同一の管理指標値設定欄２０２２における下限値欄２０２３や上限値欄２０２４に値が入力されていない状態（未設定状態）では任意の単色（第一色）で表されてもよい。
【００５８】
そして、管理指標値設定欄２０２２の下限値欄２０２３に値が入力されると、当該下限値欄２０２３の近傍に入力済みマーク２０２７が表示される。図５に示す例においては、管理指標値設定欄２０２２−１〜２０２２−３のそれぞれにおいて、背景領域２０２８における下限値欄２０２３側の近傍を部分的に表示色を第一色と異なる第二色に変更するこことで構成された入力済みマーク２０２７が示されている。この入力済みマーク２０２７を表すことで、下限値欄２０２３に値が設定されたことを管理者が容易に把握することができる。また、この入力済みマーク２０２２として、下限値欄２０２３の左側位置に、例えば「丸付きの×印」のマークを合せて付すことで、管理者が色の識別がしにくい場合でも下限値欄２０２３に値が設定されたことを容易に把握することができる。
【００５９】
同様に、管理指標値設定欄２０２２の上限値欄２０２４に値が入力されると、当該上限値欄２０２４の近傍に入力済みマーク２０２７が表示される。図５に示す例においては、管理指標値設定欄２０２２−１〜２０２２−６のそれぞれにおいて、背景領域２０２８における上限値欄２０２４側の近傍を部分的に表示色を第一色とは異なる第二色に変更するこことで構成された入力済みマーク２０２７が示されている。この入力済みマーク２０２７を表すことで、上限値欄２０２４に値が設定されたことを管理者が容易に把握することができる。また、この入力済みマーク２０２２として、上限値欄２０２４の右側位置に、例えば「丸付きの×印」のマークを合せて付すことで、管理者が色の識別がしにくい場合でも下限値欄２０２３に値が設定されたことを容易に把握することができる。入力済みマーク２０２７および「丸付きの×印」のマークは、警告色であることが望ましく、例えば赤系統が用いられる。
【００６０】
すなわち、管理指標値設定欄２０２２においては、下限値欄２０２３もしくは上限値欄２０２４に閾値（下限値，上限値）が入力されると、入力された側に対応する背景領域２０２８の表現が変更される。これにより、下限値欄２０２３に閾値が入力された場合に、下限値が入力されていることが分かるように、下限値欄２０２３付近の背景領域２０２８の表示態様が変更される。同様に、上限値欄２０２４に閾値が入力された場合に、上限値が入力されていることが分かるように、上限値欄２０２４付近の背景領域２０２８の表示態様が変更される。
【００６１】
図５に示す例においては、入力済みマーク２０２７は下限値欄２０２３や上限値欄２０２４の外側に形成されている。なお、入力済みマーク２０２７は、これに限定されるものではない。値が入力された下限値欄２０２３や上限値欄２０２４の色や形状を変更することで入力済みマーク２０２７を表してもよく、種々変形して実施することができる。
【００６２】
管理指標値設定欄２０２２においては、左側に下限値欄２０２３が、右側に上限値欄２０２４が、それぞれ配置され、これらの下限値欄２０２３と上限値欄２０２４とにそれぞれ値が入力された状態においては、下限値欄２０２３の左側と上限値欄２０２４の右側とにそれぞれ入力済みマーク２０２７が表示される。これにより、管理指標値設定欄２０２２が、上限値と下限値とを表示するとともに、これらの上限値と下限値との間が飼養条件の許容範囲である棒状のメータとしての態様を表す。
【００６３】
そして、図５に示す例において、管理指標値設定欄２０２２を棒状のメータとして見た場合に、管理指標値設定欄２０２２における、下限値欄２０２３よりも左側の領域が下限値よりも小さい値に相当し、下限値欄２０２３よりも右側の領域が下限値よりも大きい値に相当する。同様に、管理指標値設定欄２０２２における、上限値欄２０２４よりも左側の領域が上限値よりも小さい値に相当し、上限値欄２０２４よりも右側の領域が上限値よりも大きい値に相当する。
【００６４】
下限値欄２０２３に下限値が入力された場合は、この下限値欄２０２３の値よりも、より低い値を示す位置に入力済みマーク２０２７が表示される。また、上限値欄２０２４に上限値が入力された場合はこの上限値欄２０２４の値よりも、より高い値を示す位置に入力済みマーク２０２７が表示される。すなわち、表示制御部２１は、下限値欄２０２３に下限値が入力された場合は、この下限値欄２０２３の値よりも、より低い値を示す位置のマークを変更する。また、表示制御部２１は、上限値欄２０２４に上限値が入力された場合はこの上限値欄２０２４の値よりも、より高い値を示す位置のマークを変更する。
【００６５】
また、この管理指標値設定欄２０２２において、下限値欄２０２３と上限値欄２０２４との間、棒状のメータにおける許容範囲を表す領域にチェックマーク（レ点）が示されている。
【００６６】
管理指標値設定欄２０２２を、飼養条件の上限値と下限値とを示す棒状のメータとして見る場合に、許容範囲外の領域に相当する、下限値の左側と上限値の右側とに「丸付きの×印」とのマークが配置され、上限値と下限値との間にチェックマーク（レ点）が配置される。これにより、管理者が色の識別がしにくい場合でも管理指標値設定欄２０２２を容易に把握することができる。
【００６７】
生体種名欄２０２１や管理指標値設定欄２０２２（下限値欄２０２３，上限値欄２０２４）に入力された値は、管理者端末２０ａに備えられた図示しないメモリ等の記憶領域に一時的に格納される。
【００６８】
また、図５に例示する生体種登録用の入力画面２０１ａ−３は、登録ボタン２０２６およびキャンセルボタン２０２５を備える。
【００６９】
登録ボタン２０２６は、管理者が、生体種名欄２０２１や各管理指標値設定欄２０２２（下限値欄２０２３，上限値欄２０２４）に入力された情報を登録する場合に選択（押下，タッチ，クリック）される。
【００７０】
入力画面２０１ａ−３の下限値欄２０２３および上限値欄２０２４において入力された下限値および上限値は、図示しないメモリ等の記憶領域に格納された後、登録ボタン２０２６が選択されることで、養殖管理装置１０に送信される。これらの上限値および下限値は、後述の如く、養殖管理装置１０の記憶部１０４において閾値データベース１０５に記録される（図１２参照）。
【００７１】
キャンセルボタン２０２５は、管理者が、生体種名欄２０２１や各管理指標値設定欄２０２２（下限値欄２０２３，上限値欄２０２４）において行なった入力を記憶部１０４に登録せずにキャンセルする場合に選択される。
【００７２】
また、図４に例示する入力画面２０１ａ−２は、新規生体種アイコン２０１２を備える。管理者が、この入力画面２０１ａ−２において新規生体種アイコン２０１２を選択することで、図６に例示する新規生体登録用の入力画面２０１ａ−３が管理者端末２０ａのタッチディスプレイ５１４に表示される。
【００７３】
図６に例示する新規生体種登録用の入力画面２０１ａ−４は、生体種名欄２０２１と複数（図６に示す例では６つ）の管理指標値設定欄２０２２−１〜２０２２−６とを備える。また、新規生体種登録用の入力画面２０１ａ−４は、登録ボタン２０２６およびキャンセルボタン２０２５を備える。
【００７４】
以下、図中において既述の符号と同一の符号は同様の部分を示しているので、その詳細な説明は省略する。
【００７５】
図６に例示する入力画面２０１ａ−４においては、生体種名欄２０２１には生体種名は入力されておらず、また、各管理指標値設定欄２０２２−１〜２０２２−６の下限値欄２０２３および上限値欄２０２４にも閾値は入力されていない。
【００７６】
管理者は、この入力画面２０１ａ−４を介して、飼養する生体種の情報を新たに登録する。
【００７７】
また、管理者端末２０ａのタッチディスプレイ５１４には、養殖管理装置１０の出力制御部１０３から送信されるモニタリング画面２０２ａ−１，２０２ａ−２が表示される。これらのモニタリング画面２０２ａ−１，２０２ａ−２については、図１４および図１５を用いて後述する。
【００７８】
［管理者端末２０ｂ］
図７〜図１０は実施形態の一例としての養殖システム１の管理者端末２０ｂのモニタ６１４ａ（図１９参照）に表示される入力画面２０１ｂ−１〜２０１ｂ−４を例示する図である。
【００７９】
管理者は、生体の飼養に要求される飼養条件を示す管理指標値を、管理者端末２０ｂに表示される入力画面２０１ｂ−１〜２０１ｂ−４を介して入力（設定）する。本養殖システム１においては、生体の種類毎に飼養条件（管理指標値）を設定することができる。管理指標値は、後述する養殖管理装置１０のセンサデータ評価部１０２により閾値として用いられる。
【００８０】
例えば、管理者端末２０ｂに備えられたプロセッサ６１１（図１９参照）がクライアント用養殖管理プログラムを実行することで表示制御部２１および入力制御部２２としての機能が実現され、入力画面２０１ｂ−１〜２０１ｂ−４が管理者端末２０ｂのモニタ６１４ａに表示される。なお、後述する養殖管理装置１０が入力画面２０１ｂ−１〜２０１ｂ−４を提供し、インターネット等のネットワークを介して当該養殖管理装置１０に接続された管理者端末２０ａの表示制御部２１が、ブラウザを介してこれらの入力画面２０１ｂ−１〜２０１ｂ−４をモニタ６１４ａに表示させてもよい。
【００８１】
図７に例示する入力画面２０１ｂ−１は、養殖管理に関して管理者が行なう作業の選択画面を示す。
【００８２】
この図７に例示する入力画面２０１ｂ−１は、図３に示した入力画面２０１ａ−１と同様のアイコンを備える。
【００８３】
すなわち、作業入力の選択肢として、給餌，池入れ，出荷，注水・排水，水槽メンテ，水質モニタ，取出し，斃死回収，生体登録およびメール通知の各アイコンを備える。
【００８４】
管理者はこの入力画面２０１ｂ−１において、行なおうとする作業入力に対応するアイコンを選択する。本実施形態においては、生体登録を行なう例について示す。
【００８５】
管理者が入力画面２０１ｂ−１において生体登録のアイコン２０１１を選択すると、図８に例示する入力画面２０１ｂ−２が管理者端末２０ｂのモニタ６１４ａに表示される。
【００８６】
図８に例示する入力画面２０１ｂ−２は、生体登録の対象を選択する選択画面を示す。
【００８７】
この図８に例示する入力画面２０１ｂ−２は、図４に示した入力画面２０１ａ−２と同様の情報を表示する。
【００８８】
管理者は、この入力画面２０１ｂ−２において、登録済みの生体（図８に示す例ではマナマコまたはエゾバフンウニ）を選択することで、図９に例示する生体登録用の入力画面２０１ｂ−３が管理者端末２０ｂのモニタ６１４ａに表示される。
【００８９】
図９に例示する生体登録用の入力画面２０１ｂ−３は、図５に示した入力画面２０１ａ−３と同様に、生体種名欄２０２１と複数（図９に示す例では６つ）の管理指標値設定欄２０２２−１〜２０２２−６とを備える。
【００９０】
管理者は、各水質管理項目の許容範囲を、入力画面２０１ｂ−３の各管理指標値設定欄２０２２の下限値欄２０２３および上限値欄２０２４にそれぞれ設定する。
【００９１】
図９に例示する入力画面２０１ｂ−３においても、管理指標値設定欄２０２２において下限値欄２０２３もしくは上限値欄２０２４に閾値（下限値，上限値）が入力されると、入力された側に対応する背景領域２０２８の表現が変更される。これにより、下限値欄２０２３に閾値が入力された場合に、下限値が入力されていることが分かるように、下限値欄２０２３付近の背景領域２０２８の表示態様が変更される。同様に、上限値欄２０２４に閾値が入力された場合に、上限値が入力されていることが分かるように、上限値欄２０２４付近の背景領域２０２８の表示態様が変更される。
【００９２】
また、図８に例示する入力画面２０１ｂ−２は、新規生体種アイコン２０１２を備える。管理者が、この入力画面２０１ｂ−２において新規生体種アイコン２０１２を選択することで、図１０に例示する新規生体登録用の入力画面２０１ｂ−４が管理者端末２０ｂのモニタ６１４ａに表示される。
【００９３】
図１０に例示する新規生体登録用の入力画面２０１ｂ−４は、図６に示した入力画面２０１ａ−４と同様に、生体種名欄２０２１と複数（図１０に示す例では６つ）の管理指標値設定欄２０２２−１〜２０２２−６とを備える。また、新規生体登録用の入力画面２０１−４は、登録ボタン２０２６およびキャンセルボタン２０２５を備える。
【００９４】
管理者は、この入力画面２０１ｂ−４を介して、飼養する生体の情報を登録する。
【００９５】
また、管理者端末２０ｂのモニタ６１４ａには、養殖管理装置１０の出力制御部１０３から送信されるモニタリング画面２０２ｂが表示される。これらのモニタリング画面２０２ｂについては、図１３を用いて後述する。
【００９６】
［養殖管理装置１０］
養殖管理装置１０は、水槽３０に設置されたセンサ３１から送信されるセンサデータ（測定値）に基づき、飼育用水の状態を管理する。
【００９７】
養殖管理装置１０は、例えば、サーバ機能を備える情報処理装置である。養殖管理装置１０は、図１に示すように、センサデータ収集部１０１，センサデータ評価部１０２，出力制御部１０３およびモニタリング情報作成部１０７としての機能を備える。また、養殖管理装置１０は記憶部１０４としての機能を備える。
【００９８】
記憶部１０４は、図１に示すように、閾値データベース１０５，センサデータ群１０６およびセンサデータ評価結果１０８を記憶する。記憶部１０４は、例えば、記憶装置１３（図１７参照）によって実現される。閾値データベース１０５，センサデータ群１０６およびセンサデータ評価結果１０８についての各詳細は後述する。
【００９９】
センサデータ収集部１０１は、水槽３０に設置された各センサ３１からセンサデータ（測定値，測定結果）をそれぞれ収集する。以下、センサ３１により測定された測定値をセンサデータという場合がある。
【０１００】
センサデータ収集部１０１は、各センサ３１に対してセンサデータの送信を要求し、この要求に対してセンサ３１から応答（送信）されるセンサデータを受信することで、センサデータを収集してもよい。センサデータ収集部１０１は、各センサ３１に対して定期的もしくは任意のタイミングでセンサデータの収集を行なってもよい。
【０１０１】
センサデータ収集部１０１は、複数の水槽３０のそれぞれに備えられた各センサ３１からセンサデータの収集を行なう。センサデータ収集部１０１は収集されたセンサデータがいずれのセンサ３１から収集されたものであるか認識することができる。これにより、センサデータ収集部１０１はセンサデータが複数の水槽３０のうちいずれの水槽（管理領域，第１の管理領域）３０で測定されたものであるかを特定することができる。センサデータ収集部１０１は、収集した前記センサデータが対応づけられる第１の管理領域を特定する管理領域特定部に相当する。
【０１０２】
例えば、複数の水槽３０のそれぞれについて、水槽３０を特定する情報に対して、当該水槽３０に備えられたセンサ３１や、当該水槽３０で飼養されている生体種を特定する情報を対応付けて構成した水槽データベース（図示省略）を記憶部１０４に記憶してもよい。
【０１０３】
また、センサデータ収集部１０１は、各センサ３１から定期的もしくは任意のタイミングで送信されるセンサデータを受信することでセンサデータを収集してもよい。
【０１０４】
センサデータ収集部１０１は、複数のセンサ３１のセンサデータを同じタイミング（時刻）で収集することが望ましい。
【０１０５】
センサデータ収集部１０１が収集した各センサ３１のセンサデータは、記憶部１０４に記憶される。すなわち、収集されたセンサデータはメモリ１２や記憶装置１３の所定の記憶領域に記憶される。
【０１０６】
センサデータ収集部１０１によって収集されたセンサデータは、当該センサデータを計測したセンサ３１を特定する識別情報および当該センサデータが収集された時刻を示すタイムスタンプに関連付けて、センサデータ群１０６として記憶される。
【０１０７】
図１１は実施形態の一例としての養殖システム１におけるセンサデータ群を例示する図である。
【０１０８】
この図１１に例示するセンサデータ群１０６は、収集されたセンサデータを、同一のタイムスタンプ（図１１に示す例では“2019/5/5 12:12”）を有するセンサデータをセンサ３１に対応付けたテーブルで表している。
【０１０９】
記憶部１０４においては、センサデータ収集部１０１によって収集されたセンサデータが、同一のタイムスタンプ毎にまとめて構成されたセンサデータ群１０６を複数記憶する。
【０１１０】
センサデータ評価部１０２は、センサデータ収集部１０１によって収集された各センサ３１のセンサデータが、飼養条件を満たす状態にあるかを評価（判断）する。
【０１１１】
以下、センサデータ評価結果１０８が評価を行なうセンサデータを評価対象センサデータという場合がある。センサデータ評価部１０２は、評価対象センサデータを閾値データベース１０５と比較することで評価を行なう。
【０１１２】
図１２は実施形態の一例としての養殖システム１における閾値データベース１０５を例示する図である。
【０１１３】
閾値データベース１０５は、飼養する生体群毎の水質管理項目毎の許容範囲（飼養条件）を示す。生体群の使用条件は、同じ生体の種類であっても水槽３０毎に可変である。閾値データベース１０５は、水槽毎の生体群毎の許容範囲である。閾値データベース１０５においては、管理者端末２０ａの入力画面２０１ａ−３および管理者端末２０ｂの入力画面２０１ｂ−３において入力された上限値および下限値が、対応する水質管理項目の下限閾値および上限閾値として対応付けて設定される。
【０１１４】
閾値データベース１０５においては、生体種毎に水質管理項目の下限閾値と上限閾値とが設定される。
【０１１５】
以下、一の生体種についての、水質管理項目に関する上限閾値と下限閾値との組み合わせを閾値セットという場合がある。閾値セットには、複数の水質管理項目についての上限閾値と下限閾値との組み合わせを含んでよい。閾値セットは生体種毎に備えられる。
【０１１６】
閾値セット１１５は、生体の種類（生体種）毎に、管理指標値の下限値（下限閾値）および上限値（上限閾値）を備える管理指標値情報に相当する。
【０１１７】
図１２に示す例においては、生体種名が“生体種Ａ”である生体種に関する閾値セット１１５−１と、生体種名が“生体種Ｂ”である生体種とに関する閾値セット１１５−２とが図示されている。
【０１１８】
なお、以下、閾値セットを示す符号としては、複数の閾値セットのうち１つを特定する必要があるときには符号１１５−１，１１５−２を用いるが、任意の閾値セットを指すときには符号１１５を用いる。閾値データベース１０５は複数の閾値セット１１５を備える。
【０１１９】
図１２に示す例において、生体種Ａに関する閾値セット１１５−１においては、例えば、水質管理項目＃１（水温）に対して、下限閾値“11”と上限閾値“20”とが設定されている。また、水質管理項目＃２（塩分濃度）に対して、下限閾値“20”と上限閾値“30”とが設定されている。
【０１２０】
図１２においては図示が省略されているが、閾値セット１１５には、他の水質管理項目（例えば、ｐｈ，アンモニウムイオン，亜硝酸イオン，硝酸イオン）についても下限閾値および上限閾値が設定されている。
【０１２１】
閾値セット１１５は、生体の種類（生体種）毎に、管理指標値の下限値（下限閾値）および上限値（上限閾値）を備える管理指標値情報に相当する。
【０１２２】
センサデータ評価部１０２は、センサデータ収集部１０１によって収集されたセンサ３１のセンサデータ（評価対象センサデータ）を、閾値セット１１５と比較する。センサデータ評価部１０２は、評価対象センサデータの値が、閾値セット１１５における当該センサデータに対応する水質管理項目の下限閾値と上限閾値との間にあるかを確認する。
【０１２３】
すなわち、センサデータ評価部１０２は、センサデータ（評価対象センサデータ）の値が下限閾値（下限値）と上限閾値（上限値）との間にあるかを判定する判定部に相当する。
【０１２４】
センサデータ評価部１０２は、収集した評価対象センサデータに基づき、例えば、上述した水槽データベースを参照して、当該評価対象センサデータを計測したセンサ３１が備えられた水槽３０を特定し、当該水槽３０で飼養されている生体種を特定してもよい。すなわち、センサデータ評価部１０２は、水槽（第１の管理領域）３０で飼養されている１以上の種類の生体を特定する生体種特定部に相当する。
【０１２５】
そして、センサデータ収集部１０１は、この特定した生体種についての閾値セット１１５を参照して、該評価対象センサデータの値と比較し、評価対象センサデータの値が、閾値セット１１５における当該センサデータに対応する水質管理項目の下限閾値と上限閾値との間にあるかを確認してもよい。
【０１２６】
評価対象センサデータの値が、閾値セット１１５における当該センサデータに対応する水質管理項目の下限閾値と上限閾値との間にある場合には、当該センサデータによって表される水質管理項目は、当該閾値セット１１５に対応する生体種の飼養条件を満たす（正常状態）と判断される。すなわち、センサデータ評価部１０２は、評価対象センサデータの値が、閾値セット１１５における当該センサデータに対応する水質管理項目の上限閾値と下限閾値との間にある場合に正常状態であると判断する。なお、評価対象センサデータの値が下限閾値と上限閾値との間にある場合とは、評価対象センサデータの値が、下限閾値以上且つ、上限閾値以下であることを示す。
【０１２７】
これに対して、評価対象センサデータの値が、閾値セット１１５における当該センサデータに対応する水質管理項目の上限閾値と下限閾値との間にない場合には、当該センサデータによって表される水質管理項目は、当該閾値セット１１５に対応する生体種の飼養条件を満たさない（異常状態）と判断される。すなわち、センサデータ評価部１０２は、評価対象センサデータの値が、閾値セット１１５における当該センサデータに対応する水質管理項目の上限閾値と下限閾値との間にない場合に異常状態であると判断する。なお、評価対象センサデータの値が下限閾値と上限閾値との間にない場合とは、評価対象センサデータの値が、下限閾値よりも低いか、上限閾値よりも高いことを示す。
【０１２８】
センサデータ評価部１０２は、評価対象センサデータを閾値セット１１５と比較することにより行なった飼養条件を満たす状態にあるか否かの評価結果（判断結果）を記憶部１０４の所定の記憶領域に記憶させる。以下、この記憶部１０４に記憶された判断結果を示す情報をセンサデータ評価結果１０８という。
【０１２９】
センサデータ評価結果１０８は、例えば、評価対象センサデータを測定したセンサ３１を識別する識別情報に対して、当該評価対象センサデータが飼養条件を満たす状態にあるかを示す情報を対応付けることで構成される。センサデータ評価部１０２は、評価対象センサデータが飼養条件を満たす状態にあるかを示す情報として、例えば、評価対象センサデータが飼養条件を満たす状態にある場合には“1”を、評価対象センサデータが飼養条件を満たす状態にない場合には“0”を、それぞれセンサデータ評価結果１０８に設定する。
【０１３０】
センサデータ評価部１０２は、評価対象センサデータについて飼養条件を満たす状態にあるかの評価を行なった後に、センサデータ評価結果１０８を参照して、最新の評価結果が、センサデータ評価結果１０８に記録された前回の評価結果と同じであるかを確認する。
【０１３１】
そして、センサデータ評価部１０２は、最新の評価対象センサデータについての評価結果と、前回の評価結果との比較の結果に基づき、管理者に対するエラー通知方法を決定する。
【０１３２】
最新の評価対象センサデータについての評価結果が、センサデータ評価結果１０８に記録された前回の評価結果と同じである場合には、管理者に対するエラー通知メールの送信を行なわないこと、および、後述するモニタリング画面２０２ａ−１，２０２ａ−２，２０２ｂにおけるエラー通知状態を変更しないことを決定する。
【０１３３】
ここで、最新の評価対象センサデータについての評価結果が、センサデータ評価結果１０８に記録された前回の評価結果と同じである場合とは、前回の評価結果が正常状態であり、最新の評価結果も正常状態である場合と、前回の評価結果が異常状態であり、最新の評価結果も異常状態である場合とを含む。
【０１３４】
前回の評価結果が正常状態である場合には、モニタリング画面２０２ａ−１，２０２ａ−２，２０２ｂにはエラー通知情報は示されていない。そして、最新の評価結果も正常状態である場合には、モニタリング画面２０２ａ−１，２０２ａ−２，２０２ｂには継続してエラー通知情報は示されないこととなる。
【０１３５】
これに対して、前回の評価結果が異常状態である場合には、モニタリング画面２０２ａ−１，２０２ａ−２，２０２ｂにはエラー通知情報が示されている（図１３，図１４参照）。そして、最新の評価結果も異常状態である場合には、モニタリング画面２０２ａ−１，２０２ａ−２，２０２ｂには継続してエラー通知情報が示されることとなる。
【０１３６】
一方、最新の評価対象センサデータについての評価結果が、センサデータ評価結果１０８に記録された前回の評価結果と異なる場合には、センサデータ評価部１０２は、管理者に対する状態通知メールの送信を行なうこと、および、モニタリング画面２０２ａ−１，２０２ａ−２，２０２ｂにおけるエラー通知状態を変更することを決定する。
【０１３７】
ここで、最新の評価対象センサデータについての評価結果が、センサデータ評価結果１０８に記録された前回の評価結果と異なる場合とは、前回の評価結果が正常状態であり、最新の評価結果は異常状態である場合と、前回の評価結果が異常状態であり、最新の評価結果が正常状態である場合とを含む。
【０１３８】
前回の評価結果が正常状態である場合には、モニタリング画面２０２ａ−１，２０２ａ−２，２０２ｂにはエラー通知情報は示されていない。その後、最新の評価結果が異常状態となった場合には、センサデータ評価部１０２は、モニタリング画面２０２ａ−１，２０２ａ−２，２０２ｂにエラー通知情報が示されるように変更する決定を行なう（図１３，図１４参照）。
【０１３９】
また、センサデータ評価部１０２は、管理者に対して、水質管理項目における異常状態が検出された旨を通知するエラー通知メールの送信を決定する。センサデータ評価部１０２は、出力制御部１０３に対して、管理者に対するエラー通知メールの送信を指示する。このエラー通知メールの送信指示には、異常が検出された評価対象センサデータが対応する水質管理項目やエラーの内容を含んでもよい。エラーの内容には、評価対象センサデータの値が、下限閾値よりも低い、もしくは、上限閾値より高いことを示す情報を含んでもよく、また、評価対象センサデータの値を含んでもよく、種々変形して実施することができる。
【０１４０】
これに対して、前回の評価結果が異常状態である場合には、モニタリング画面２０２ａ−１，２０２ａ−２，２０２ｂにはエラー通知情報が示されている（図１３〜図１５の符号Ｐ１〜Ｐ４参照）。その後、最新の評価結果が正常状態となった場合には、モニタリング画面２０２ａ−１，２０２ａ−２，２０２ｂにはエラー通知情報が示されないように変更される。
【０１４１】
また、センサデータ評価部１０２は、管理者に対して、水質管理項目における異常状態が解消された旨を通知する状態通知メールの送信を決定する。センサデータ評価部１０２は、出力制御部１０３に対して、管理者に対するエラーが解消された旨の状態通知メールの送信を指示する。
【０１４２】
上述の如く、センサデータ評価部１０２は、最新の評価結果に応じた通知状態をモニタリング情報作成部１０７に指示する。
【０１４３】
すなわち、センサデータ評価部１０２は、最新の評価結果が異常状態である場合には、エラー通知情報の表示を決定し、モニタリング情報作成部１０７に対してエラー通知情報の表示を指示する。一方、センサデータ評価部１０２は、最新の評価結果が正常状態である場合には、エラー通知情報の非表示を決定し、モニタリング情報作成部１０７に対してエラー通知情報の非表示を指示する。
【０１４４】
また、センサデータ評価部１０２は、最新の評価結果に応じた通知状態メールを出力制御部１０３に送信させる指示を行なう。
【０１４５】
センサデータ評価部１０２は、エラー通知メールの送信を決定した場合には、出力制御部１０３に対して、管理者に対するエラー通知メールの送信を指示する。このエラー通知メールの送信指示には、異常が検出された評価対象センサデータが対応する水質管理項目や、エラーの内容を含んでもよい。エラーの内容には、評価対象センサデータの値が、下限閾値よりも低い、もしくは、上限閾値より高いことを示す情報を含んでもよく、また、評価対象センサデータの値を含んでもよく、種々変形して実施することができる。
【０１４６】
センサデータ評価部１０２は、エラーが解消された旨の状態通知メールの送信を決定した場合には、出力制御部１０３に対して、管理者に対して、エラーが解消された旨の状態通知メールの送信を指示する。この状態通知メールの送信指示には、異常が解消された評価対象センサデータが対応する水質管理項目や、解消された時刻の情報を含んでもよい。
【０１４７】
エラーの内容には、評価対象センサデータの値が、下限閾値よりも低い、もしくは、上限閾値より高いことを示す情報を含んでもよく、また、評価対象センサデータの値を含んでもよく、種々変形して実施することができる。
【０１４８】
モニタリング情報作成部１０７は、記憶部１０４に記憶されたセンサデータ群１０６の値を用いて、モニタリング画面２０２ａ−１，２０２ａ−２，２０２ｂを作成する。
【０１４９】
モニタリング画面２０２ａ−１，２０２ａ−２，２０２ｂは、水槽３０の飼育用水の状態を示す情報である。
【０１５０】
図１３は実施形態の一例としての養殖システム１におけるモニタリング画面２０２ｂを例示する図である。
【０１５１】
図１３に例示するモニタリング画面２０２ｂは、主に管理者端末２０ｂのモニタ６１４ａに表示させる情報であり、水槽情報５００と水質情報６００とを備える。
【０１５２】
水槽情報５００は、水槽３０に関する情報を示す。図１３に示す例においては、水槽情報５００は、生体情報５０１と水槽設備情報５０２とを備える。
【０１５３】
生体情報５０１は、水槽３０において飼養している生体の情報である。図１３に示す例においては、生体種に対して、育成中の生体の個数や、飼育開始日、出荷可能日および初期サイズが関連付けて表示されている。また、生体種に対して、出荷可能であるか否かを示す情報（出荷ＯＫ／育成中）も表示されている。
【０１５４】
なお、図１３に例示する生体情報５０１においては、同一の生体種であってもロット（例えばケージ）が異なる場合には別の生体種として表している。
【０１５５】
生体情報５０１は、複数（図１３に示す例では４つ）の生体種についての上記情報を一覧としてリスト表示している。
【０１５６】
また、この水槽情報５００において、センサデータ評価部１０２が以異常状態を検知した生体種に対して、異常状態である旨を表すエラー通知情報（警告情報）が表示されている（図１３の符号Ｐ１，Ｐ２参照）。
【０１５７】
図１３に示す例においては、エゾバフンウニ（種ウニロット１，２）に対してエラー通知情報が付して示されている。また、このエラー通知情報には、異常状態が検知された水質管理項目と、異常検知の元となったセンサデータが上限閾値と下限閾値とのいずれを超えたかを示す情報が含まれる。図１３に示す例においては、エラー通知情報に「水温」との文字と「基準以上」との文字が含まれているので、水温を測定するセンサ３１のセンサデータが上限閾値よりも高い値であったことがわかる。
【０１５８】
モニタリング情報作成部１０７は、センサデータ評価部１０２からエラー通知情報の表示を指示された場合に、モニタリング画面２０２ｂに、上述の如きエラー通知情報の表示を行なう。また、モニタリング情報作成部１０７は、センサデータ評価部１０２からエラー通知情報の非表示を指示された場合に、モニタリング画面２０２ｂにおいてエラー通知情報を非表示にする。
【０１５９】
なお、センサデータ評価部１０２が複数の水質管理項目について異常を検知した場合には、この生体情報５０１において、対応する生体種に複数のエラー通知情報を付して表してもよい。
【０１６０】
水槽設備情報５０２は、水槽３０に関する情報と、センサ３１に関する情報とを備える。図１３に示す例において、水槽３０に関する情報として、水槽３０の種類（名称）として陸上養殖水槽であることが示されるとともに、水槽３０の規模（飼育水槽容量）と循環率と完遂率とが示されている。また、センサ（センシングデバイス）３１に関する情報として、水質モニタおよび設備モニタが備えられていることを示している。また、水質モニタが水温，濁度，ｐＨ，塩分濃度を測定可能であることや、設備モニタが水位，温湿度および気圧を測定可能であることも示されている。
【０１６１】
また、センサ３１として、水中映像を撮影するネットワークカメラが備えられていることや、当該ネットワークカメラが耐水ハウジングを備えることも示している。
【０１６２】
水質情報６００は、水槽３０の飼育用水の水質を表す情報であり、センサデータ収集部１０１が収集した各センサ３１のセンサデータの値を示す。
【０１６３】
図１３に示す例においては、水質情報６００は、水温，濁度，ｐＨ，塩分濃度，アンモニウムイオン，亜硝酸イオンおよび硝酸イオンの各センサデータの値を一覧（リスト）として示している。
【０１６４】
なお、図１３に示す例においては、濁度，ｐＨ，塩分濃度，アンモニウムイオン，亜硝酸イオンおよび硝酸イオンについては、最新の各センサデータの値を測定日時とともに示している。一方、水温については、過去に測定されたセンサデータの値を時系列に応じてプロットしたグラフとして表している。
【０１６５】
このように、センサデータの遷移をグラフで表すことで、当該水質管理項目のセンサデータの値の傾向を容易に把握することができ利便性が高い。
【０１６６】
また、この水槽情報６００においても、センサデータ評価部１０２が以異常状態を検知した生体種に対して、異常状態である旨を表すエラー通知情報（警告情報）が表示されている（符号Ｐ３参照）。
【０１６７】
なお、濁度，ｐＨ，塩分濃度，アンモニウムイオン，亜硝酸イオンおよび硝酸イオンについても、少なくともいずれかをセンサデータの値の遷移をグラフで表してもよく、また、水温の最新のセンサデータの値を測定日時とともに示してもよい。水質管理項目のセンサデータの値の表示形態を、グラフとするか最新のセンサデータの値の表示とするかを、管理者が任意に選択できるようにしてもよい。
【０１６８】
また、図１３に例示するモニタリング画面２０２ｂにおいては、水槽情報５００の上方に、異常状態が検出された水質管理項目の数が示されている（符号Ｐ４参照）。これにより、例えば、モニタ６１４ａの表示サイズがモニタリング画面２０２ｂより小さく、モニタリング画面２０２ｂの一部しか表示されない場合でも、管理者が異常状態を知ることができる。また、この異常状態発生数に隣接する下向き矢印のアイコンを管理者が選択することで、異常状態に関する情報をモニタ６１４ａに表示させてもよい。
【０１６９】
図１４は実施形態の一例としての養殖システム１におけるモニタリング画面２０２ａ−１を例示する図、図１５は実施形態の一例としての養殖システム１におけるモニタリング画面２０２ａ−２を例示する図である。
【０１７０】
これらの図１４および図１５に例示するモニタリング画面２０２ａ−１，２０２ａ−２は、主に管理者端末２０ａのタッチディスプレイ５１４に表示させる情報である。
【０１７１】
図１４に示すモニタリング画面２０２ａ−１は水槽情報５００を備え、図１５に示すモニタリング画面２０２ａ−２は水質情報６００を備える。
【０１７２】
スマートフォンである管理者端末２０ａは、ノートＰＣやデスクトップＰＣ，タブレットＰＣ等の管理者端末２０ｂよりもディスプレイサイズが小さく、一度に表示できる情報量が少ない。そこで、管理者端末２０ａにおいては、図１３に例示したモニタリング画面２０２ｂを水槽情報５００と水質情報６００とに分けて、それぞれモニタリング画面２０２ａ−１，２０２ａ−２として表示させる。
【０１７３】
なお、管理者端末２０ａにおける、モニタリング画面２０２ａ−１とモニタリング画面２０２ａ−２との切り替えは、例えば、表示切替用のタブを表示させ、管理者により行なわれるタブの選択入力に応じて行なってもよく、種々変形して実施することができる。
【０１７４】
出力制御部１０３は、センサデータ評価部１０２から異常状態を検知した旨の通知を受信すると、管理者端末２０ａ，２０ｂに対して異常状態の発生を通知（警告）する。例えば、出力制御部１０３は、センサデータ評価部１０２からエラー通知メールの送信を指示された場合に、管理者のメールアドレスに対して異常状態の発生を通知するエラー通知メール（警告メール）を送信する。エラー通知メールは、生体種毎に発行される。
【０１７５】
エラー通知メールには、異常状態が検知された水質管理項目や、異常を示したセンサデータの値を含めてもよい。また、エラー通知メールに、異常状態の発生を検知した時刻や、当該異常状態が検知されたセンサ３１が測定を行なった時刻を含めてもよい。エラー通知メールは、これに限定されるものではなく、適宜変更して実施することができる。
【０１７６】
出力制御部１０３は、センサデータ（評価対象センサデータ）の値が下限閾値（下限値）と上限閾値（上限値）との間にない場合に、警告情報を出力する出力部に相当する。
【０１７７】
出力制御部１０３は、センサデータ評価部１０２は、センサデータ（評価対象センサデータ）の値が下限閾値（下限値）と上限閾値（上限値）との間にあるかの判定結果が、前回行なわれた判定結果と同じ場合に、警告情報の出力を抑止する。
【０１７８】
また、出力制御部１０３は、モニタリング情報作成部１０７によって作成されたモニタリング画面２０２ａ−１，２０２ａ−２を管理者端末２０ａに送信して表示させる制御を行なう。さらに、出力制御部１０３は、モニタリング情報作成部１０７によって作成されたモニタリング画面２０２ｂを管理者端末２０ｂに送信して表示させる制御を行なう。
【０１７９】
これらのモニタリング画面２０２ａ−１，２０２ａ−２，２０２ｂには、センサデータ評価部１０２により特定の生体種に関して、特定の水質管理項目においてセンサデータに異常が検知された場合に、これらの生体種と水質管理項目を明確にするようにエラー通知が表示される。すなわち、エラー通知の表示は、生体種毎に行なわれ、また、水質管理項目毎に行なわれる。
【０１８０】
なお、モニタリング画面２０２ａ−２の上方には、カメラ画像の表示等の他の機能表示の画面に切り替えるためのアイコンが備えられており、管理者は適宜切り替えて用いることができる。
【０１８１】
（Ｂ）動作
上述の如く構成された実施形態の一例としての養殖システム１における養殖管理装置１０の処理を、図１６に示すフローチャート（ステップＳ１〜Ｓ５）に従って説明する。
【０１８２】
ステップＳ１において、センサデータ収集部１０１が各センサ３１からセンサデータを収集する。センサデータ収集部１０１は、例えば、定期的にセンサデータの収集を行なう。
【０１８３】
ステップＳ２において、センサデータ評価部１０２が、センサデータ収集部１０１によって収集された各センサデータを評価対象センサデータとして、閾値データベース１０５に記憶されている各閾値セット１１５の対応する水質管理項目の下限閾値および上限閾値と比較する。これにより、センサデータ評価部１０２は、各評価対象センサデータが飼養条件を満たしているか否かを判断する。
【０１８４】
例えば、センサデータ評価部１０２は、水温のセンサデータを、水槽３０において飼養している全ての生体種の閾値セット１１５について、各水温の下限閾値および上限閾値とそれぞれ比較し、センサデータの値が下限閾値と下限閾値との間にあるかを判断する。
【０１８５】
センサデータ評価部１０２は、評価対象センサデータが飼養養条件を満たす状態にあるか否かの評価結果（判断結果）を記憶部１０４にセンサデータ評価結果１０８として記憶させる。
【０１８６】
ステップＳ３において、センサデータ評価部１０２は、最新の評価対象センサデータについての評価結果とセンサデータ評価結果１０８とを比較して、最新の評価対象センサデータについての評価結果と前回の評価結果とが同じであるかを確認する。
【０１８７】
確認の結果、最新の評価対象センサデータについての評価結果が、センサデータ評価結果１０８に記録された前回の評価結果と同じである場合には（ステップＳ３の“同じ”ルート参照）、ステップＳ４に移行する。
【０１８８】
ステップＳ４においては、センサデータ評価部１０２は、管理者に対するエラー通知メールの送信を行なわないこと、および、モニタリング画面２０２ａ−１，２０２ａ−２，２０２ｂにおけるエラー通知状態を変更しないことを決定する。
【０１８９】
エラー通知情報の表示を決定した場合には、センサデータ評価部１０２は、モニタリング情報作成部１０７に対してエラー通知情報の表示を指示する。また、エラー通知情報の非表示を決定した場合には、センサデータ評価部１０２は、モニタリング情報作成部１０７に対してエラー通知情報の非表示を指示する。
【０１９０】
モニタリング情報作成部１０７は、センサデータ評価部１０２からエラー通知情報の表示を指示された場合に、モニタリング画面２０２ａ−１，２０２ａ−２，２０２ｂに、上述の如きエラー通知情報の表示を行なう。また、モニタリング情報作成部１０７は、センサデータ評価部１０２からエラー通知情報の非表示を指示された場合に、モニタリング画面２０２ａ−１，２０２ａ−２，２０２ｂにおいてエラー通知情報を非表示にする。その後、処理を終了する。
【０１９１】
一方、ステップＳ３における確認の結果、最新の評価対象センサデータについての評価結果が、センサデータ評価結果１０８に記録された前回の評価結果と異なる場合には（ステップＳ３の“違う”ルート参照）、ステップＳ５に移行する。
【０１９２】
ステップＳ５においては、センサデータ評価部１０２は、管理者に対するエラー通知メールの送信を行なうこと、および、モニタリング画面２０２ａ−１，２０２ａ−２，２０２ｂにおけるエラー通知状態を変更することを決定する。
【０１９３】
この決定による結果、エラー通知情報の表示を決定した場合には、センサデータ評価部１０２は、モニタリング情報作成部１０７に対してエラー通知情報の表示を指示する。また、エラー通知情報の非表示を決定した場合には、センサデータ評価部１０２は、モニタリング情報作成部１０７に対してエラー通知情報の非表示を指示する。
【０１９４】
モニタリング情報作成部１０７は、センサデータ評価部１０２からエラー通知情報の表示を指示された場合に、モニタリング画面２０２ａ−１，２０２ａ−２，２０２ｂに、上述の如きエラー通知情報の表示を行なう。また、モニタリング情報作成部１０７は、センサデータ評価部１０２からエラー通知情報の非表示を指示された場合に、モニタリング画面２０２ａ−１，２０２ａ−２，２０２ｂにおいてエラー通知情報を非表示にする。
【０１９５】
また、センサデータ評価部１０２は、出力制御部１０３に対して、管理者に対するエラー通知メールの送信を指示する。その後、処理を終了する。
【０１９６】
（Ｃ）効果
このように、実施形態の一例としての養殖システム１によれば、生体種毎に備えられた入力画面２０１ａ−３，２０１ｂ−３において、下限値欄２０２３と上限値欄２０２４とを備え、管理者がこれらの下限値欄２０２３と上限値欄２０２４とに下限閾値と上限閾値とを入力可能に構成されている。
【０１９７】
これにより、飼育用水に対して、水質管理項目の値が生体種の飼養条件を満たす適正範囲となるように制御することができる。
【０１９８】
入力画面２０１ａ−３，２０１ｂ−３の管理指標値設定欄２０２２において、下限値欄２０２３もしくは上限値欄２０２４に閾値（下限閾値，上限閾値）が入力されると、入力された側に対応する背景領域２０２８の表現を変更して表示させる。
【０１９９】
これにより、入力画面２０１ａ−３，２０１ｂ−３において、複数の管理指標値設定欄２０２２を並べて表示する場合に、上限閾値または下限閾値が入力されているか否かを容易に把握することができ利便性が高い。
【０２００】
閾値データベース１０５において、生体種毎に閾値セット１１５を備え、各閾値セット１１５において、複数の水質管理項目毎に上限閾値および／または下限閾値を備える。センサデータ評価部１０２が、評価対象センサデータの値を、対応する水質管理項目の下限閾値および上限閾値と比較することで、評価対象センサデータの値が正常状態であるか異常状態であるかを判断する。
【０２０１】
これにより、飼養条件が異なる複数の生体種を同一の水槽３０において飼養する場合に、飼育用水の水質が各生体種の飼養条件を満たすものであるかを容易に把握することができ利便性が高い。
【０２０２】
センサデータ評価部１０２は、センサデータ評価結果１０８を参照して、最新の評価結果が、センサデータ評価結果１０８に記録された前回の評価結果と同じであるかを確認する。最新の評価対象センサデータについての評価結果が、センサデータ評価結果１０８に記録された前回の評価結果と同じである場合には、管理者に対するエラー通知メールの送信を行なわないこと、および、後述するモニタリング画面２０２ａ−１，２０２ａ−２，２０２ｂにおけるエラー通知状態を変更しないことを決定する。
【０２０３】
これにより、水質管理項目について評価対象センサデータの値が異常状態であると判断された場合において、当該水質管理項目について既に管理者に対してエラー通知メールが送信されている場合に、繰り返しエラー通知メールを送信することがない。すなわち、管理者がエラー通知メールを重複して受信することがなく効率的なシステム運用を実現することができる。
【０２０４】
また、水質管理項目について評価対象センサデータの値が異常状態であると判断された場合において、当該水質管理項目について既に管理者に対してエラー通知が行なわれている場合には、継続してエラー通知を行なわせることができる。すなわち、管理者に対する水質管理項目についてのエラー通知を確実に実現することができる。
【０２０５】
一方、最新の評価対象センサデータについての評価結果が、センサデータ評価結果１０８に記録された前回の評価結果と異なる場合には、センサデータ評価部１０２は、管理者に対する状態通知メールの送信を行なうこと、および、モニタリング画面２０２ａ−１，２０２ａ−２，２０２ｂにおけるエラー通知状態を変更することを決定する。
【０２０６】
前回の評価結果が正常状態である場合において、その後、最新の評価結果が異常状態となった場合には、センサデータ評価部１０２は、モニタリング画面２０２ａ−１，２０２ａ−２，２０２ｂにエラー通知情報が示されるように変更する決定を行なう。
【０２０７】
また、センサデータ評価部１０２は、管理者に対して、水質管理項目における異常状態が検出された旨を通知するエラー通知メールの送信を決定する。
【０２０８】
これにより、管理者は、水槽３０の飼育用水において検出された異常を迅速に知ることができる。
【０２０９】
また、前回の評価結果が異常状態である場合に、その後、最新の評価結果が正常状態となった場合には、モニタリング画面２０２ａ−１，２０２ａ−２，２０２ｂにはエラー通知情報が示されないように変更することで、管理者は水槽３０の飼育用水が正常状態となったことを迅速に把握することができる。
【０２１０】
また、管理者に対して、水質管理項目における異常状態が解消された旨を通知する状態通知メールの送信を行なうことで、これによっても、管理者は水槽３０の飼育用水が正常状態になったことを迅速に把握することができる。
【０２１１】
（Ｄ）その他
図１７は実施形態の一例としての養殖システム１の養殖管理装置１０のハードウェア構成を例示する図である。
【０２１２】
養殖管理装置１０は、図１７に例示するように、プロセッサ１１，メモリ１２，記憶装置１３，グラフィック処理装置１４，入力インタフェース１５，光学ドライブ装置１６，機器接続インタフェース１７およびネットワークインタフェース１８を構成要素として有する。これらの構成要素１１〜１８は、バス１９を介して相互に通信可能に構成される。
【０２１３】
プロセッサ（処理部）１１は、養殖管理装置１０全体を制御する。プロセッサ１１は、マルチプロセッサであってもよい。プロセッサ１１は、例えばＣＰＵ（Central Processing Unit），ＭＰＵ（Micro Processing Unit），ＤＳＰ（Digital Signal Processor），ＡＳＩＣ（Application Specific Integrated Circuit），ＰＬＤ（Programmable Logic Device），ＦＰＧＡ（Field Programmable Gate Array）のいずれか一つであってもよい。また、プロセッサ１１は、ＣＰＵ，ＭＰＵ，ＤＳＰ，ＡＳＩＣ，ＰＬＤ，ＦＰＧＡのうちの２種類以上の要素の組み合わせであってもよい。
【０２１４】
そして、プロセッサ１１が養殖管理装置１０用の制御プログラム（養殖管理プログラム：図示省略）を実行することにより、上述した、センサデータ収集部１０１，センサデータ評価部１０２および出力制御部１０３としての機能が実現される。
【０２１５】
センサデータ収集部１０１，センサデータ評価部１０２および出力制御部１０３としての機能は、例えば、ＯＳ（Operating System）プログラム上で動作する機能として実装されてもよく、また、ＯＳプログラムの機能として実装されてもよい。
【０２１６】
なお、養殖管理装置１０は、例えばコンピュータ読み取り可能な非一時的な記録媒体に記録されたプログラム（養殖管理プログラムやＯＳプログラム）を実行することにより、図１に示すセンサデータ収集部１０１，センサデータ評価部１０２および出力制御部１０３としての機能を実現する。
【０２１７】
養殖管理装置１０に実行させる処理内容を記述したプログラムは、様々な記録媒体に記録しておくことができる。例えば、養殖管理装置１０に実行させる養殖管理プログラムを記憶装置１３に格納しておくことができる。プロセッサ１１は、記憶装置１３内のプログラムの少なくとも一部をメモリ１２にロードし、ロードしたプログラムを実行する。
【０２１８】
また、養殖管理装置１０（プロセッサ１１）に実行させるプログラム（養殖管理プログラム）を、光ディスク１６ａ，メモリ装置１７ａ，メモリカード１７ｃ等の非一時的な可搬型記録媒体に記録しておくこともできる。可搬型記録媒体に格納されたプログラムは、例えばプロセッサ１１からの制御により、記憶装置１３にインストールされた後、実行可能になる。また、プロセッサ１１が、可搬型記録媒体から直接プログラムを読み出して実行することもできる。
【０２１９】
メモリ１２は、ＲＯＭ（Read Only Memory）およびＲＡＭ（Random Access Memory）を含む記憶メモリである。メモリ１２のＲＡＭは養殖管理装置１０の主記憶装置として使用される。ＲＡＭには、プロセッサ１１に実行させるＯＳプログラムや制御プログラム（キャッシュ制御プログラム）の少なくとも一部が一時的に格納される。また、メモリ１２には、プロセッサ１１による処理に必要な各種データが格納される。
【０２２０】
記憶装置１３は、ハードディスクドライブ（Hard Disk Drive：ＨＤＤ）、ＳＳＤ（Solid State Drive）、ストレージクラスメモリ（Storage Class Memory：ＳＣＭ）等の記憶装置であって、種々のデータを格納するものである。記憶装置１３は、養殖管理装置１０の補助記憶装置として使用される。記憶装置１３には、ＯＳプログラム，制御プログラムおよび各種データが格納される。制御プログラムには養殖管理プログラムが含まれる。
【０２２１】
なお、補助記憶装置としては、ＳＣＭやフラッシュメモリ等の半導体記憶装置を使用することもできる。また、複数の記憶装置１３を用いてＲＡＩＤ（Redundant Arrays of Inexpensive Disks）を構成してもよい。
【０２２２】
また、記憶装置１３には、後述する閾値データベース１０５を構成するデータが格納される。
【０２２３】
グラフィック処理装置１４には、モニタ１４ａが接続されている。グラフィック処理装置１４は、プロセッサ１１からの命令に従って、画像をモニタ１４ａの画面に表示させる。モニタ１４ａとしては、ＣＲＴ（Cathode Ray Tube）を用いた表示装置や液晶表示装置等が挙げられる。
【０２２４】
入力インタフェース１５には、キーボード１５ａおよびマウス１５ｂが接続されている。入力インタフェース１５は、キーボード１５ａやマウス１５ｂから送られてくる信号をプロセッサ１１に送信する。なお、マウス１５ｂは、ポインティングデバイスの一例であり、他のポインティングデバイスを使用することもできる。他のポインティングデバイスとしては、タッチパネル，タブレット，タッチパッド，トラックボール等が挙げられる。
【０２２５】
光学ドライブ装置１６は、レーザ光等を利用して、光ディスク１６ａに記録されたデータの読み取りを行なう。光ディスク１６ａは、光の反射によって読み取り可能にデータを記録された可搬型の非一時的な記録媒体である。光ディスク１６ａには、ＤＶＤ（Digital Versatile Disc），ＤＶＤ−ＲＡＭ，ＣＤ−ＲＯＭ（Compact Disc Read Only Memory），ＣＤ−Ｒ（Recordable）／ＲＷ（ReWritable）等が挙げられる。
【０２２６】
機器接続インタフェース１７は、養殖管理装置１０に周辺機器を接続するための通信インタフェースである。例えば、機器接続インタフェース１７には、メモリ装置１７ａやメモリリーダライタ１７ｂを接続することができる。メモリ装置１７ａは、機器接続インタフェース１７との通信機能を搭載した非一時的な記録媒体、例えばＵＳＢ（Universal Serial Bus）メモリである。メモリリーダライタ１７ｂは、メモリカード１７ｃへのデータの書き込み、またはメモリカード１７ｃからのデータの読み出しを行なう。メモリカード１７ｃは、カード型の非一時的な記録媒体である。
【０２２７】
ネットワークインタフェース１８は、ネットワークに接続される。ネットワークインタフェース１８は、ネットワークを介して、管理者端末２０ａ，２０ｂとの間でデータの送受信を行なう。ネットワークには他の情報処理装置や通信機器等が接続されてもよい。
【０２２８】
ネットワークには管理者端末２０ａ，２０ｂが接続され、養殖管理装置１０は、ネットワークインタフェース１８およびネットワークを介して管理者端末２０ａ，２０ｂと通信可能に接続される。
【０２２９】
例えば、養殖管理装置１０は、管理者端末２０ａ，２０ｂとWi-fi（登録商標）等の無線通信ネットワークを介して接続されてもよい。また、養殖管理装置１０は、管理者端末２０ｂとＬＡＮケーブル等を介して接続されてもよい。
【０２３０】
図１８は実施形態の一例としての養殖システム１の管理者端末２０ａのハードウェア構成を例示する図である。
【０２３１】
管理者端末２０ａは、例えば、図１８に例示するように、プロセッサ５１１，メモリ５１２，記憶装置５１３，タッチディスプレイ５１４，機器接続インタフェース５１７およびネットワークインタフェース５１８を構成要素として有する。これらの構成要素５１１〜５１４，５１７，５１８は、バス５１９を介して相互に通信可能に構成される。
【０２３２】
タッチディスプレイ５１４は、表示装置と位置入力装置とを組み合わせた装置である。
【０２３３】
そして、プロセッサ５１１がクライアント用養殖管理プログラムを実行することにより、上述した、表示制御部２１および入力制御部２２としての機能が実現される。
【０２３４】
なお、プロセッサ５１１，メモリ５１２，記憶装置５１３，機器接続インタフェース５１７，ネットワークインタフェース５１８およびバス５１９は、図１７に示した養殖管理装置１０のプロセッサ１１，メモリ１２，記憶装置１３，機器接続インタフェース１７，ネットワークインタフェース１８およびバス１９と同様の機能構成を有するので、その説明は省略する。
【０２３５】
図１９は実施形態の一例としての養殖システム１の管理者端末２０ｂのハードウェア構成を例示する図である。
【０２３６】
管理者端末２０ｂは、例えば、図１９に例示するように、プロセッサ６１１，メモリ６１２，記憶装置６１３，グラフィック処理装置６１４，入力インタフェース６１５，光学ドライブ装置６１６，機器接続インタフェース６１７およびネットワークインタフェース６１８を構成要素として有する。これらの構成要素６１１〜６１８は、バス６１９を介して相互に通信可能に構成される。
【０２３７】
これらのプロセッサ６１１，メモリ６１２，記憶装置６１３，グラフィック処理装置６１４，入力インタフェース６１５，光学ドライブ装置６１６，機器接続インタフェース６１７，ネットワークインタフェース６１８およびバス６１９は、図１７に示した養殖管理装置１０のプロセッサ１１，メモリ１２，記憶装置１３，グラフィック処理装置１４，入力インタフェース１５，光学ドライブ装置１６，機器接続インタフェース１７，ネットワークインタフェース１８およびバス１９と同様の機能構成を有するので、その説明は省略する。
【０２３８】
そして、プロセッサ６１１がクライアント用養殖管理プログラムを実行することにより、上述した、表示制御部２１および入力制御部２２としての機能が実現される。
【０２３９】
なお、開示の技術は上述した実施形態に限定されるものではなく、本実施形態の趣旨を逸脱しない範囲で種々変形して実施することができる。本実施形態の各構成および各処理は、必要に応じて取捨選択することができ、あるいは適宜組み合わせてもよい。
【０２４０】
例えば、上述した実施形態においては、水槽３０の飼育用水に複数のケージを沈め、これらのケージに飼養対象の生体を入れて養殖する例を示しているが、これに限定されるものではない。
【０２４１】
例えば、水槽３０に沈めた複数のケージに代えて、海や湖等の水域に複数の生簀を浮かべ、これらの生簀に飼養対象の生体を入れて養殖してもよい。また、水槽３０に沈めた複数のケージに代えて、一の水浄化装置と水循環システムとを有するとともに、複数の水槽を備え、これらの各水槽に飼育用水を循環させる水循環系において、水槽毎に異なる生体種を入れて養殖してもよく、種々変形して実施することができる。本養殖システム１は、これらの水域や水循環系の如く、水質が一定とみなされる範囲に幅広く適用することができる。
【０２４２】
また、上述した実施形態においては、水槽３０において水生生物（生体）を養殖する例を示したが、これに限定されるものではない。
【０２４３】
例えば、空気中や土中において複数種類の陸生生物（生体）を養殖してもよく、種々変形して実施することができる。
【０２４４】
また、上述した実施形態において、水質管理項目が、水温，塩分濃度，ｐｈ，アンモニウムイオン，亜硝酸イオン，硝酸イオン，濁度である例を示したが、これらに限定されるものではなく、これら以外の項目を測定して管理してもよく、種々変形して実施することができる。
【０２４５】
さらに、上述した実施形態において、管理指標値設定欄２０２２において、背景領域２０２８における下限値欄２０２３や上限値欄２０２４の近傍を部分的に表示色を第一色とは異なる第二色に変更するこことで構成された入力済みマーク２０２７を示しているが、これに限定されるものではない。入力済みマーク２０２７は適宜変更することができる。例えば、下限値欄２０２３や上限値欄２０２４の近傍に、値が入力済みであることを表すアイコン等を表示させてもよく、また、下限値欄２０２３や上限値欄２０２４の色や形状等の表示形態を変更させてもよく、種々変形して実施することができる。
【０２４６】
また、上述した実施形態においては、センサデータ評価部１０２がセンサデータを下限閾値および上限閾値と比較しているが、これに限定されるものではない。センサデータ評価部１０２は、センサデータを上限閾値または下限閾値のいずれかとだけ比較して異常状態／正常状態の判断を行なってもよい。
【０２４７】
上述した実施形態においては、スマートフォンとして構成された管理者端末２０ａのタッチディスプレイ５１４にモニタリング画面２０２ａ−１，２０２ａ−２を選択的に切り替えて表示しているが、これに限定されるものではない。管理者端末２０ａのタッチディスプレイ５１４にモニタリング画面２０２ｂを表示させてもよい。また、モニタリング画面２０２ａ−１，２０２ａ−２を管理者端末２０ｂに表示させてもよい。
【０２４８】
また、上述した開示により本実施形態を当業者によって実施・製造することが可能である。
【０２４９】
（Ｅ）付記
（付記１）
管理領域における複数種類の生体を飼養する養殖システムに備えられる情報処理装置のプロセッサに、
前記管理領域における環境状態を測定するセンサにより測定される測定項目に対する下限管理指標値を入力する下限値入力領域と、前記測定項目に対する上限管理指標値を入力する上限値入力領域とを備える入力画面を表示装置に表示させ、
前記下限値入力領域に前記下限管理指標値が入力された場合、または、前記上限値入力領域に前記上限管理指標値が入力された場合に、前記下限管理指標値または前記上限管理指標値の入力が行なわれたことを示す入力済みマークを前記下限値入力領域または上限値入力領域の外側に表示させる
処理を実行させる、表示制御プログラム。
【０２５０】
（付記２）
前記入力領域において、前記下限値入力領域と前記上限値入力領域とを並べて表示させる
処理を、前記プロセッサに実行させる、付記１記載の表示制御プログラム。
【０２５１】
（付記３）
前記下限値入力領域と前記上限値入力領域とを並べて配置し、
前記下限値入力領域に前記下限管理指標値が入力された場合は前記下限値入力領域の値よりも、より低い値を示す位置のマークを変更し、または、前記上限値入力領域に前記上限管理指標値が入力された場合は前記上限値入力領域の値よりも、より高い値を示す位置のマークを変更する
処理を、前記プロセッサに実行させる、付記２記載の表示制御プログラム。
【０２５２】
（付記４）
前記下限値入力領域および前記上限値入力領域の少なくとも一部の表示態様を変更することで前記入力済みマークを前記表示装置に表示させる
処理を、前記プロセッサに実行させる、付記３記載の表示制御プログラム。
【０２５３】
（付記５）
前記複数種類の生体のそれぞれに対応させて、前記生体の種類毎に前記入力画面を表示させる
処理を、前記プロセッサに実行させる、付記１〜４のいずれか１項に記載の表示制御プログラム。
【０２５４】
（付記６）
前記センサにより測定された測定項目において、前記下限管理指標値または前記上限管理指標値に基づき異常が検出された場合に、
前記管理領域における前記生体の状態を前記生体の種類毎に表示する生体情報において、前記異常が検出された生体の種類に対応させて異常通知情報を表示させる
処理を、前記プロセッサに実行させる、付記１〜５のいずれか１項に記載の表示制御プログラム。
【０２５５】
（付記７）
管理領域における複数種類の生体を飼養する養殖システムであって、
前記管理領域における環境状態を測定するセンサと、
前記センサによる測定値に対する管理指標値を入力する情報処理装置とを備え、
前記情報処理装置が、
前記センサにより測定される測定項目に対する下限管理指標値を入力する下限値入力領域と、前記測定項目に対する上限管理指標値を入力する上限値入力領域とを備える入力画面を表示装置に表示させ、
前記下限値入力領域に前記下限管理指標値が入力された場合、または、前記上限値入力領域に前記上限管理指標値が入力された場合に、前記下限管理指標値または前記上限管理指標値の入力が行なわれたことを示す入力済みマークを前記下限値入力領域または上限値入力領域の外側に表示させる表示制御部
を備える、養殖システム。
【０２５６】
（付記８）
前記表示制御部が、
前記入力領域において、前記下限値入力領域と前記上限値入力領域とを並べて表示させる
ことを特徴とする、付記７記載の養殖システム。
【０２５７】
（付記９）
前記表示制御部が、
前記下限値入力領域と前記上限値入力領域とを並べて配置し、
前記下限値入力領域に前記下限管理指標値が入力された場合は前記下限値入力領域の値よりも、より低い値を示す位置のマークを変更し、または、前記上限値入力領域に前記上限管理指標値が入力された場合は前記上限値入力領域の値よりも、より高い値を示す位置のマークを変更する
ことを特徴とする、付記８記載の養殖システム。
【０２５８】
（付記１０）
前記下限値入力領域および前記上限値入力領域の少なくとも一部の表示態様を変更することで前記入力済みマークを前記表示装置に表示させる
ことを特徴とする、付記９記載の養殖システム。
【０２５９】
（付記１１）
前記複数種類の生体のそれぞれに対応させて、前記生体の種類毎に前記入力画面を表示させる
ことを特徴とする、付記７〜１０のいずれか１項に記載の養殖システム。
【０２６０】
（付記１２）
前記センサにより測定された測定項目において、前記下限管理指標値または前記上限管理指標値に基づき異常が検出された場合に、
前記管理領域における前記生体の状態を前記生体の種類毎に表示する生体情報において、
前記異常が検出された生体の種類に対応させて異常通知情報を表示させる
ことを特徴とする、付記７〜１１のいずれか１項に記載の養殖システム。
【０２６１】
（付記１３）
管理領域における複数種類の生体を飼養する養殖システムにおいて備えられる情報処理装置であって、
表示装置と、
前記管理領域における環境状態を測定するセンサにより測定される測定項目に対する下限管理指標値を入力する下限値入力領域と、前記測定項目に対する上限管理指標値を入力する上限値入力領域とを備える入力画面を前記表示装置に表示させ、
前記下限値入力領域に前記下限管理指標値が入力された場合、または、前記上限値入力領域に前記上限管理指標値が入力された場合に、前記下限管理指標値または前記上限管理指標値の入力が行なわれたことを示す入力済みマークを前記下限値入力領域または上限値入力領域の外側に表示させる表示制御部と
を備えることを特徴とする、情報処理装置。
【０２６２】
（付記１４）
前記表示制御部が、
前記入力領域において、前記下限値入力領域と前記上限値入力領域とを並べて表示させる
ことを特徴とする、付記１３記載の情報処理装置。
【０２６３】
（付記１５）
前記表示制御部が、
前記下限値入力領域と前記上限値入力領域とを並べて配置し、
前記下限値入力領域に前記下限管理指標値が入力された場合は前記下限値入力領域の値よりも、より低い値を示す位置のマークを変更し、または、前記上限値入力領域に前記上限管理指標値が入力された場合は前記上限値入力領域の値よりも、より高い値を示す位置のマークを変更する
ことを特徴とする、付記１３記載の情報処理装置。
【０２６４】
（付記１６）
前記表示制御部が、
前記下限値入力領域および前記上限値入力領域の少なくとも一部の表示態様を変更することで前記入力済みマークを前記表示装置に表示させる
ことを特徴とする、付記１５記載の情報処理装置。
【０２６５】
（付記１７）
前記表示制御部が、
前記複数種類の生体のそれぞれに対応させて、前記生体の種類毎に前記入力画面を表示させる
ことを特徴とする、付記１３〜１６のいずれか１項に記載の情報処理装置。
【０２６６】
（付記１８）
前記センサにより測定された測定項目において、前記下限管理指標値または前記上限管理指標値に基づき異常が検出された場合に、
前記表示制御部が、
前記管理領域における前記生体の状態を前記生体の種類毎に表示する生体情報において、前記異常が検出された生体の種類に対応させて異常通知情報を表示させる
ことを特徴とする、付記１３〜１７のいずれか１項に記載の情報処理装置。
【符号の説明】
【０２６７】
１    養殖システム
１０    養殖管理装置
１１    プロセッサ
１２    ＲＡＭ
１３    ＨＤＤ
１４    グラフィック処理装置
１４ａ    モニタ
１５    入力インタフェース
１５ａ    キーボード
１５ｂ    マウス
１６    光学ドライブ装置
１６ａ    光ディスク
１７    機器接続インタフェース
１７ａ    メモリ装置
１７ｂ    メモリリーダライタ
１７ｃ    メモリカード
１８    ネットワークインタフェース
１８ａ    ネットワーク
１９    バス
２０ａ，２０ｂ，２０    管理者端末
２１    表示制御部
２２    入力制御部
３０    水槽３０
１０１    センサデータ収集部
１０２    センサデータ評価部
１０３    出力制御部
１０４    記憶部
１０５    閾値データベース
１０６    センサデータ群
１０７    モニタリング情報作成部
１０８    センサデータ評価結果
１１５−１，１１５−２，１１５    閾値セット
３１−１〜３１−６，３０    センサ
２０１ａ−１〜２０１ａ−４，２０１ａ−１〜２０１ｂ−４    入力画面
２０２ａ−１，２０２ａ−２，２０２ｂ    モニタリング画面  
５００    水槽情報
５０１    生体情報
５０２    水槽設備情報  
６００    水質情報
２０１１    生体種名欄
２０２２−１〜２０２２−６，２０２２    管理指標値設定欄
２０２３    下限値欄
２０２４    上限値欄
２０２５    キャンセルボタン
２０２６    登録ボタン
２０２７    背景領域
２０２７    入力済マーク  
２０２８    背景領域
【図１】
2020178656.tif 000003
【図２】
2020178656.tif 000004
【図３】
2020178656.tif 000005
【図４】
2020178656.tif 000006
【図５】
2020178656.tif 000007
【図６】
2020178656.tif 000008
【図７】
2020178656.tif 000009
【図８】
2020178656.tif 000010
【図９】
2020178656.tif 000011
【図１０】
2020178656.tif 000012
【図１１】
2020178656.tif 000013
【図１２】
2020178656.tif 000014
【図１３】
2020178656.tif 000015
【図１４】
2020178656.tif 000016
【図１５】
2020178656.tif 000017
【図１６】
2020178656.tif 000018
【図１７】
2020178656.tif 000019
【図１８】
2020178656.tif 000020
【図１９】
2020178656.tif 000021